(57)【要約】      （修正有）【課題】顔面や頭上部を日焼けや紫外線から守り、うちわとしても使用でき、屋外や通行時に日差しを遮るサンバイザーの代用もでき、ステンドグラスとして観賞もできる、多機能型のうちわ兼日除けを提供する。【解決手段】うちわとしても兼用可能な半透明でＵＶカット材の日除け面１と、取っ手２を有しているので、取っ手で扇げばうちわとして利用でき、取っ手でうちわ兼日除け面を陽にかざせば日差しや紫外線から顔面、頭上部を保護できる。またうちわ兼日除け面は半透明であるため、日除けサンバイザーの代用として屋外や通行時に利用でき、半透明のステンドグラス模様部分３では、やさしい陽の光を観賞して癒し効果も得られる。【選択図】図１
0003191600.tif 000002
【実用新案登録請求の範囲】
【請求項１】
半透明のうちわ兼日除け面と、このうちわ兼日除け面から延長した取っ手を有していることを特徴とする、透視可能なうちわ兼日除け。
【請求項２】
前記うちわ兼日除け面の一部分に、半透明のステンドグラス模様を有していることを特徴とする、請求項１に記載の透視可能なうちわ兼日除け。
【請求項３】
前記うちわ兼日除け面が半透明のＵＶカット材であることを特徴とする、請求項１に記載の透視可能なうちわ兼日除け。
【考案の詳細な説明】
【技術分野】
【０００１】本考案は、夏場に日傘をささない男性の顔面及び頭上部を日差し及び紫外線から保護し、外出時の日除けサンバイザーとしても使用でき、ステンドグラスの観賞もできる、多機能型のうちわ兼日除けに関する。
【背景技術】
【０００２】夏場の顔面の日焼けを防止したり、紫外線をカットする半透明のうちわ兼日除け機能を有する多機能型日除けは、特許文献１のように記載されている。
【先行技術文献】
【特許文献】
【０００３】
【特許文献１】実用新案登録第３１５５０６９号公報
【考案の概要】
【考案が解決しようとする課題】
【０００４】しかしながら、特許文献１記載の構造はスポーツ観戦などを前提として考案されており、取っ手面１ｈ部分がうちわ面と一体化しているため取っ手部分が短く、手から離れた頭上部などにはかざしにくく操作性に劣る。また取っ手が棒形状でないため、うちわとして利用する際にテコの原理が働きにくく、未使用時に取っ手部分をズボンに差し込んで収納しにくい。又、特許文献１記載のうちわ面１にも１ｈにも、陽の光を利用した観賞用の半透明なステンドグラス模様部分はない。本考案の技術的課題は、このような問題に着目し、特許文献１記載の日差しから腕を守る機能である、取付けリング及び／又は袖状スリーブの端部開口を取付ける取付け凹部など、顔面及び頭上部以外の日除けを前提とした機能は意図的に排除してシンプルにしており、取っ手を独立した棒形状にして、持ち運び移動のしやすさ、日除けの操作性やうちわ兼日除けの収納性を高めている。又、ステンドグラス効果によって、陽の光を遮るばかりではなく、陽の光の癒し効果としての機能も兼ね備えたもので、男性の外出、通行時における日傘の代用としての機能を実現することにある。
【課題を解決するための手段】
【０００５】請求項１記載の考案は、半透明のうちわ兼日除け面と、このうちわ兼日除け面から延長した取っ手を有していることを特徴とする、このうちわ兼日除けの取っ手を手に取って扇げば、うちわとしても利用でき、半透明であるから、日差しの強い屋外や通行時に、日除けサンバイザーの代用として、日焼け、日差しから顔面や頭上部を守ることができる。【０００６】請求項２記載の考案は、うちわ兼日除け面の一部分が半透明のステンドグラス模様になっているため、やさしい陽の光がステンドグラス模様を通して差込み、それを観賞することにより、癒し効果を与えてくれる。【０００７】請求項３記載の考案は、うちわ兼日除け面が半透明のＵＶカット材であるため、紫外線から顔面や頭上部を保護でき健康的にも有効である。
【考案の効果】
【０００８】請求項１のように、うちわとしても兼用可能な半透明のうちわ兼日除け面と取っ手を有しているので、手に取って扇げばうちわとしても使え、日差しの強い屋外で日除けサンバイザー機能も発揮でき、顔面、頭上部を日差しから守ることができる。外出、通勤、通学の日傘の代用になる。又、未使用時は取っ手をズボンに差し込んで収納できる。【０００９】請求項２のように、うちわ兼日除け面の一部分に、半透明のステンドグラス模様部分を有しているため、そこからの陽の光を観賞することにより癒し効果が得られる。【００１０】請求項３のように、半透明のうちわ兼日除け面がＵＶカット材であるため、紫外線から顔面や頭上を保護できる。
【図面の簡単な説明】
【００１１】
【図１】本考案による半透明のうちわ兼日除けの基本構成を示す正面図である。
【考案を実施するための形態】
【００１２】以下、本考案の形態を示す図面に基づき説明する。
【実施例】
【００１３】次に本考案による、うちわ兼日除けが実際上どのように具体化されるか実施形態を説明する。図１は、本考案によるうちわ兼日除けの基本構成を示す正面図である。図１に示すように、うちわ兼日除け面１から取っ手２が延長しており、うちわ兼日除け面１は半透明なＵＶカット材であるため、日除けサンバイザーの代用とでき、日差しの強い屋外で、うちわ兼日除け面１を顔面、顔側面、頭上部にかざせば、日傘の代用として外出、通行時の日焼け及び紫外線防止になる。また、取っ手２を手に持って扇ぐと風を送るうちわとしても兼用できる。半透明のステンドグラス模様部分３では、陽の光を通して、ステンドグラス模様部分に陽が差し、やさしい光によって癒し効果を得ることができる。【００１４】うちわ兼日除け面１の材質はアクリル板やポリプロピレンなどの合成樹脂の薄板が適しているが、紫外線抑止のために、ＵＶカット膜などを貼ったり、ＵＶカット処理して、紫外線カット率９９％程度であることが望ましい。なお、半透明のうちわ兼日除け面１の透明度は陽を遮るための遮光性と、見通しを確保するための透過性の両方を実現するために、赤外線カット率７１％、可視光線透過率１３％程度が望ましい。【００１５】うちわ兼日除け面の外周はきれいな曲面とし、従来の扇形よりもより人間の顔型に近い図１の１に示すような、やや逆３角形ぎみの小判型の形状とする。【００１６】透視可能なうちわ兼日除け製作のコストダウンの関係上、うちわ兼日除け面の外周縁は骨枠を持たないものとし、取っ手部分でうちわ兼日除け面を挟み込むつくりとするか、あるいはうちわ兼日除け面で取っ手部分を挟み込むつくりにするかのどちらかの方法で、うちわ兼日除け面と取っ手部分の接合とするものとする。【００１７】取っ手２の材質は軽くて丈夫なプラスチックなどとする。色も男性が好むようなシックな黒などが好ましい。又、取っ手の長さは操作性が良く、ズボンへ差し込むなどの収納性も良い１３ｃｍ程度が望ましい。【００１８】ステンドグラス部分３は半透明の色彩を持つ部分とし、例えば図１の３のような丸い模様であれば、濃いブルーと薄いブルーの色彩が対になり、濃い赤と黄色の色彩が対になり、この４色をつなぐ中央部分が薄い紫となっているようなものである。
【産業上の利用可能性】
【００１９】以上のように本考案によると、半透明のうちわ兼日除け面を使って日傘の代用として日焼けや紫外線から顔面や頭上を守ることができ、うちわとして扇いで涼を得ることもできる。又、日除けサンバイザーの代用も可能で、ステンドグラス模様部分では、やさしい陽の光を観賞することによって癒し効果も得れる。従って、本考案の透視可能なうちわ兼日除けは、主に夏場の外出時に日傘をささない男性のための、外出、通勤、通学の日傘の代用に適している。
【符号の説明】
【００２０】１  うちわ兼日除け面
２  取っ手
３  ステンドグラス模様部分
【図１】
0003191600.tif 000003